(57)【要約】【課題】デジタル画像撮影、イメージ保存、表示機能を有するデジタル画像表示装置。【解決手段】デジタル画像表示装置１０、カメラモジュール１３、支持スタンド１９および複写スタンド２０を備える。デジタル画像表示装置１０は、液晶表示装置などの表示モジュール１１、枠体１２、メモリモジュール１４、制御モジュール１５、入力モジュール１６、電源モジュール１７およびセンサモジュール１８を備える。支持スタンド１９に枢動可能に接続された複写スタンド２０に配置された図などをカメラモジュールで撮影し、入力モジュール１６を通じて制御信号が入力され、デジタル画像をメモリモジュール１４内に保存し、撮影したデジタル画像を表示モジュール１１に表示する。【選択図】図２
0003139920.tif 000002
【実用新案登録請求の範囲】
【請求項１】
デジタル画像を表示するデジタル画像表示装置と、
前記デジタル画像表示装置に設置されるカメラモジュールと、を備え、
前記デジタル画像表示装置は、該カメラモジュールのデジタル画像撮影のファインダとして機能することを特徴とする写真撮影機能を有するデジタル画像表示装置。
【請求項２】
前記デジタル画像表示装置上に傾動可能に嵌設された枢接端、折曲部および収容溝を備え、前記枢接端によって、デジタル画像装置に対して所定の角度を形成して前記デジタル画像表示装置を支持する支持スタンドと、
複写スタンドを支持する連結部
前記支持スタンドの前記折曲部に折り曲げ可能に接続され、折り曲げて前記収容溝内に収容されて前記支持スタンドと同一の平面となると共に、前記折曲部を軸心として展開されて前記支持スタンドと所定の間隔を設けた位置に撮影対象とする図などを配置する複写スタンドと、
前記デジタル画像を表示する表示モジュールと、
前記表示モジュールが内部に固定される枠体と、
前記カメラモジュールが撮影したデジタル画像および前記表示モジュールが表示するデジタル画像を保存するメモリモジュールと、
前記表示モジュールのデジタル画像の表示およびカメラモジュールの撮影を制御する制御モジュールと、
前記枠体の所定の位置に設置され、制御信号が入力されて前記制御モジュールを操作する入力モジュールと、
前記デジタル画像表示装置が必要とする電源を供給する電源モジュールと、を更に備えることを特徴とする請求項１記載の写真撮影機能を有するデジタル画像表示装置。
【請求項３】
前記デジタル画像表示装置は、更に、センサモジュールを備え、前記センサモジュールは前記制御モジュールと接続されて、周辺環境の検知を行い、前記制御モジュールに前記電源モジュールのオン／オフを自動制御させ、
前記複写スタンドは、更に、
第１の折曲端、第２の折曲端、溝部および延伸部を備え、前記第１の折曲端が前記支持スタンドの前記折曲部上に折り曲げ可能に接続される連結部と、
折曲端およびアームを備え、前記折曲端は前記連結部の前記第２の折曲端上に折り曲げ可能に接続され、前記第２の折曲端を軸心として展開されて前記連結部と所定の角度が形成される搭載部と、を備え、
前記延伸部は前記連結部の溝部から引き出され、前記搭載部と前記カメラモジュールとの間には所定の距離が形成され、前記アーム上に図が設置されて前記カメラモジュールによって撮影され、前記支持スタンドは前記複写スタンドに枢動可能に接続され、収納時、同一の平面となり、前記デジタル画像表示装置の凹溝内に嵌合されることを特徴とする請求項２記載の写真撮影機能を有するデジタル画像表示装置。
【請求項４】
前記入力モジュールは、更に、無線受信モジュールおよびリモコンを備え、前記無線受信モジュールは前記リモコンからの制御信号を受信して前記制御モジュールを操作し、前記連結部は前記第１の折曲端に枢動可能に接続された前記折曲部を軸心として折り曲げられて前記枠体上の凹部に跨設されることを特徴とする請求項３記載の写真撮影機能を有するデジタル画像表示装置。
【考案の詳細な説明】
【技術分野】
【０００１】
本考案は、写真撮影機能を有するデジタル画像表示装置に関し、特に、デジタル画像表示装置にカメラモジュールおよび複写スタンドが設置され、自分を撮影したデジタル画像または図を複写したデジタル画像をデジタル画像表示装置に直接表示することができるデジタル画像表示装置に関する。
【背景技術】
【０００２】
デジタル技術は発展し、撮影はデジタル時代に突入し、カメラ業界は大革命が起こった。従来のフィルムは淘汰されつつあり、同時にデジタル化された機材は日々発展し、撮影に関わる周辺製品の形態も一新された。
【０００３】
従来の写真立ては、フィルムを現像した写真に適用され、枠体および保護ガラスによって写真の色褪せの防止および写真観賞に使用される。しかし、一つの写真立てには一枚の写真だけを陳列でき、同時に多くの写真を陳列させたい場合、大きな写真立てや複数の写真立てを使用する必要がある。現在はデジタルカメラが発明され、写真保存の周辺製品も多元化され、様々なデジタル画像表示装置が案出されてデジタル画像データの展示が行われている。
【０００４】
従来の写真をデジタルデータにして永久に保存する方法としては、デジタル複写またはデジタル読取りが行なわれ、写真を画像ファイルの形態でメモリまたはハードディスク内に記録する。その後、有線または無線の伝送によってその画像ファイルをデジタル画像表示装置に伝送し、画像をデジタル画像表示装置に表示して観賞する。これらの過程において必要な撮影機器または読取機器は非常に多く、画像ファイルを伝送するのにも時間が掛かり、アナログ画像をデジタル画像に迅速且つ簡単に変換してデジタル画像表示装置に陳列させることはできない。
【特許文献１】特開平１１−４３９６号公報
【考案の開示】
【考案が解決しようとする課題】
【０００５】
本考案の目的は、カメラモジュールおよび複写スタンドが設置され、複写スタンドに通常の写真を設置でき、カメラモジュールが複写スタンドに陳列された写真を撮影してデジタル画像に変換した後、表示モジュール上に表示でき、それによって複写を行うことができる写真撮影機能を有するデジタル画像表示装置を提供することにある。
【課題を解決するための手段】
【０００６】
上述の課題を解決するために、本考案は写真撮影機能を有するデジタル画像表示装置を提供するものであり、デジタル画像表示装置、カメラモジュール、支持スタンドおよび複写スタンドを備える。デジタル画像表示装置は、更に、表示モジュール、枠体、メモリモジュール、制御モジュール、入力モジュール、電源モジュールおよびセンサモジュールを備える。表示モジュールは枠体内に固定され、枠体上の適当な位置にはカメラモジュールが設けられる。入力モジュールを通じて制御信号が入力され、制御モジュールがカメラモジュールを制御して撮影が行なわれる。カメラモジュールは枠体に枢動可能に接続され、表示モジュールをデジタル画像撮影のファインダとして簡単に自分を撮影することができ、デジタル画像を表示モジュール上に直接陳列することができる。支持スタンドは、枢接端によってデジタル画像表示装置の背面に嵌合され、枢接端を軸心として外側に回転され、所定の角度が形成されてデジタル画像表示装置の支持を行なう。複写スタンドは連結部によって支持スタンドと枢動可能に接続され、枢接端と相対する他端の折曲部上に位置し、折曲部を軸心として展開されて支持スタンドと所定の角度が形成され、図が設置されてカメラモジュールによる複写が行なわれる。
【考案の効果】
【０００７】
本考案の写真撮影機能を有するデジタル画像表示装置は、複写スタンドに通常の写真を設置でき、カメラモジュールが複写スタンドに陳列された写真を撮影してデジタル画像に変換した後、そのデジタル画面を迅速且つ簡単に表示モジュール上に表示できる。
【考案を実施するための最良の形態】
【０００８】
本考案の目的、特徴および効果を示す実施例を図に沿って詳細に説明する。
【０００９】
図１は、本考案の写真撮影機能を有するデジタル画像表示装置のシステムアーキテクチャを示すブロック図である。写真撮影機能を有するデジタル画像表示装置１は、デジタル画像表示装置１０およびカメラモジュール１３を備える。デジタル画像表示装置１０は更に、表示モジュール１１、枠体１２（図２を参照）、メモリモジュール１４、制御モジュール１５、入力モジュール１６、電源モジュール１７およびセンサモジュール１８を備える。入力モジュール１６は更に、無線受信モジュール１６１およびリモコン１６２を備える。
【００１０】
図２は、本考案の写真撮影機能を有するデジタル画像表示装置の第１の実施例を示す斜視図である。図３は、本考案の写真撮影機能を有するデジタル画像表示装置の第１の実施例を示す側面図である。表示モジュール１１は、枠体１２に固定され、デジタル画像がデジタル画像表示装置１０の表示面１０１上に表示される。表示モジュール１１は、ＬＣＤディスプレイとすることができる。
【００１１】
カメラモジュール１３は、枠体１２上の所定の位置に設置され、複数のレンズおよび画像センサユニットから構成され、ズームおよびオートフォーカス機能を有する。また、光測定機能を有して輝度およびホワイトバランスのパラメータを自動調整することができる。本考案の第１の実施例において、カメラモジュール１３は枠体１２の背面１０２に設置されるので、背面１０２から画像を撮影することができ、表示モジュール１１をデジタル画像を撮影するときのファインダとすることができ、撮影したデジタル画像を表示モジュール１１上に表示することができる。ここでのカメラモジュール１３は一般のカメラモジュール１３であるので詳細な説明は行わない。
【００１２】
メモリモジュール１４は、カメラモジュール１３が撮影したデジタル画像および表示モジュール１１に表示されるデジタル画像の保存に使用される。メモリモジュール１４はメモリ１４１およびメモリカード読取装置１４２を備える。メモリ１４１は、書き換え可能な不揮発性メモリ、フラッシュメモリ、ＥＰＲＯＭまたはマイクロハードディスクである。
【００１３】
メモリカード読取装置１４２は、市販の各種のメモリカードに対応して少なくとも一つを読取ることができる。これらのメモリ１４１およびメモリカード読取装置１４２は、市販され、購入可能な従来技術による製品であり、本考案の技術特徴を示すものではないので、詳細な説明は行わない。
【００１４】
制御モジュール１５は、表示モジュール１１を制御してデジタル画像を表示させ、またカメラモジュール１３を制御して撮影を行なってメモリモジュール１４内に画像を記憶させる。入力モジュール１６の無線受信モジュール１６１は、枠体１２の所定の位置に設置され、リモコン１６２からの制御信号を受信して、制御モジュール１５を通じてカメラモジュール１３による撮影および表示モジュール１１に表示する画像変更の操作を行なう。また、入力モジュール１６は、枠体１２外部表面上にボタン１６３（図３を参照）を備えてボタン１６３を押すことによってカメラモジュール１３を直接駆動して撮影を行なうことができる。
【００１５】
無線受信モジュール１６１は、ＲＦモジュールまたは赤外線モジュールとする。入力モジュール１６は、ボタンまたはタッチパネルを枠体１２上に設置した形態とする。これらの無線受信モジュール１６１およびリモコン１６２は、一般に購入可能な従来技術による市販製品であり、本考案の技術特徴を示すものではないので、詳細な説明は行わない。
【００１６】
電源モジュール１７は、デジタル画像表示装置１０が必要とする電源を供給する。電源モジュール１７は、リチウム電池、ニッケル水素電池、水素電池、マンガン電池、ニッケルカドミウム電池、燃料電池または充電電池である。電源モジュール１７は、ＵＳＢ接続ポートまたは変圧器を通じて外部と接続されて充電を行なうことができる。この電源モジュール１７は、一般に購入可能な従来技術による市販製品であり、本考案の技術特徴を示すものではないので、詳細な説明は行わない。
【００１７】
センサモジュール１８は、枠体１２の所定の位置に設置され、制御モジュール１５と接続されて周辺環境の検知を行い、制御モジュール１５に電源モジュール１７を自動的に操作させてデジタル画像表示装置１０のスイッチのオン／オフを行なわせ、それによって人が付近で活動しているときデジタル画像表示装置１０をオンにして画像を表示し、人が付近にいないときは自動的にオフにして電力を節約することができる。センサモジュール１８は、光線検知、周波数検知、温度検知または赤外線検知を行なう。このセンサモジュール１８は、一般に購入可能な従来技術による市販品であり、本考案の技術特徴を示すものではないので、詳細な説明は行わない。
【００１８】
写真撮影機能を有するデジタル画像表示装置１は、更に、支持スタンド１９および複写スタンド２０を備える。図２、３に示すように、支持スタンド１９は、更に、枢接端１９１、折曲部１９２および収容溝１９３を備える。枢接端１９１はデジタル画像表示装置１０の背面１０２に嵌合され、枢接端１９１を軸心として傾斜角度θ１でデジタル画像表示装置１０を支持する。本実施例においては１５度＜θ１＜６０度が好ましい。支持スタンド１９は、複写スタンド２０と枢動可能に接続され、収納時は複写スタンド２０を折り曲げて支持スタンド１９の収容溝１９３と同一平面にして収納することができる。
【００１９】
複写スタンド２０は、更に、連結部２１および搭載部２２を備える。連結部２１は更に、第１の折曲端２１１、第２の折曲端２１２、溝部２１３および延伸部２１４を備える。第１の折曲端２１１は、支持スタンド１９の折曲部１９２と接続され、連結部２１の溝部２１３内から延伸部２１４引き出して、第２の折曲端２１２に枢動可能に接続された搭載部２２とカメラモジュール１３との相対距離を調整することができる。
【００２０】
搭載部２２は、更に、折曲端２２１およびアーム２２２を備える。図３に示すように、折曲端２２１は連結部２１の第２の折曲端２１２と枢動可能に接続され、第２の折曲端２１２を軸心として展開され、延伸部２１４と所定の角度θ２を形成して、搭載部２２とデジタル画像表示装置１０の表示面１０１とが対応してカメラモジュール１３と所定の距離Ｄ１を保持する。所定の距離Ｄ１および所定の角度θ２の配置はカメラモジュール１３が搭載部２２上に設置された図１００を鮮明に撮影できる距離および角度であり、本実施例においては図１００は５×７インチまたは４×６インチの写真として、８０度＜θ２＜１３５度、８ｃｍ＜Ｄ１＜３０ｃｍが好ましい。アーム２２２は、搭載部２２の両側に枢動可能に接続され、図１００を設置してカメラモジュール１３に複写させるのに使用される。
【００２１】
図４は、本考案の写真撮影機能を有するデジタル画像表示装置の第１の実施例の支持スタンドを収納した状態を示す斜視図である。収納したとき、二本のアーム２２２は折り曲げられて搭載部２２と同一の平面となり、搭載部２２は折り曲げられて延伸部２１４と同一の平面となり、延伸部２１４が連結部２１の溝部２１３内に収納され、支持スタンド１９の折曲部１９２を軸心として連結部２１が折り曲げられて支持スタンド１９の収容溝１９３内に収容されて完全に収納される。従って、図１００を複写しないときは支持スタンド１９を収納することができ、空間を占拠することなく、視覚的な美観効果を高めることができる。
【００２２】
図５は、本考案の写真撮影機能を有するデジタル画像表示装置の第２の実施例を示す斜視図である。図６は本考案の写真撮影機能を有するデジタル画像表示装置の第２の実施例を示す側面図である。本実施例が第１の実施例と異なる点は、第２の実施例では写真撮影機能を有するデジタル画像表示装置１ａのカメラモジュール１３ａが表示面１０１ａの枠体１２ａ正面の所定の位置に設置されている点であり、使用者がカメラモジュール１３ａを操作して自分を撮影するとき、デジタル画像表示装置１０ａを反転させる必要がなく、更に、表示モジュール１１に自分を撮影した画像を表示して即時に見ることができる。また、複写スタンド２０ａの連結部２１ａはデジタル画像表示装置１０ａの背面１０２ａから表示面１０１ａの方向に展開させることができる。つまり、第１の折曲端２１１ａが支持スタンド１９ａに枢動可能に接続される折曲部１９２ａを軸心として、複写スタンド２０ａをデジタル画像表示装置１０ａの背面１０２ａから表示面１０１ａの方向に折り曲げることができ、枠体１２ａ上の凹部１２１ａを跨り、連結部２１ａをデジタル画像表示装置１０ａ下方の凹部１２１ａ内に嵌合させることができ、連結部２１ａの溝部２１３ａ内から延伸部２１４ａを引き出して表示面１０１ａの外部に突出させることができる。
【００２３】
搭載部２２ａの折曲端２２１ａは、連結部２１ａの第２の折曲端２１２ａと枢動可能に接続され、搭載部２２ａは第２の折曲部２１２ａを軸心として展開されて延伸部２１４ａと所定の角度θ３が形成され、搭載部２２ａとデジタル画像表示装置１０ａの表示面１０１ａとがお互いに対応してカメラモジュール１３ａと所定の距離Ｄ２を保持し、搭載部２２ａのアーム２２２ａ上に図１００を設置してカメラモジュール１３ａによる複写を行なう。
【００２４】
支持スタンド１９ａは、複写スタンド２０ａと枢動可能に接続されているので、収納時、先ず二つの相対するアーム２２２ａを折り曲げて搭載部２２ａと同一の平面にし、搭載部２２ａを折り曲げて連結部２１ａと同一の平面上にし、次に連結部２１ａを凹部１２１ａから外して背面１０２ａ方向に折り曲げ、複写スタンド２０ａを支持スタンド１９ａの収容溝１９３ａ内に収納して完全に収納される。
【００２５】
図７は、本考案の写真撮影機能を有するデジタル画像表示装置の第３の実施例を示す斜視図である。図８は、本考案の写真撮影機能を有するデジタル画像表示装置の第３の実施例を示す他の角度からの斜視図である。本実施例が第１の実施例と異なる点は、写真撮影機能を有するデジタル画像表示装置１０ｂのカメラモジュール１３ｂが表示面１０１ｂ上の枠体１２ｂの所定の位置に設置され、枠体１２ｂ上のカメラ台１２２ｂ内に枢動可能に接続されている点にあり、カメラモジュール１３ｂをカメラ台１２２ｂ内において表示面１０１ｂから背面１０２ｂに反転させることができ、表示面１０１ｂおよび背面１０２ｂからカメラモジュール１３ｂによって外界を撮影することができ、同時に各種角度の撮影を行なうことができる。
【００２６】
図７に示すように、カメラモジュール１３ｂの撮影カメラが表示面１０１ｂにあるとき、表示モジュール１１をデジタル画像撮影のファインダとすることができ、撮影したデジタル画像を表示モジュール１１に表示することができ、使用者が自分を撮影するとき表示モジュール１１を通じて自身の画像の位置および鮮明度を確認することができる。更に、リモコン１６２を通じて制御信号を対応する無線受信モジュール１６１に入力し、それによってカメラモジュール１３ｂに画像の拡大および縮小を行なわせたり、表示モジュール１１に画像の表示を行わせたりすることができる。
【００２７】
図８に示すように、カメラモジュール１３ｂの撮影カメラが背面１０２ｂにあるとき、表示モジュール１１をデジタル画像撮影のファインダとすることができ、支持スタンド１９ｂに枢動可能に接続された複写スタンド２０ｂの折曲端２２１ｂに枢動可能に接続された折曲部１９２ｂを軸心として外部に折り曲げられ、所定の角度θ４が形成され、カメラモジュール１３ｂと所定の距離Ｄ３を保持し、カメラモジュール１３ｂによって搭載部２２ｂ上に設置された図１００の撮影を行ない、迅速に且つ簡単にデジタル画像ファイルにすることができる。所定の距離Ｄ３および所定の角度θ４の配置はカメラモジュール１３ｂが搭載部２２ｂ上の設置された図１００を鮮明に撮影するのに適当な距離および角度である。
【００２８】
図９は、本考案の写真撮影機能を有するデジタル画像表示装置の第３の実施例の支持スタンドを収納した状態を示す斜視図である。写真撮影機能を有するデジタル画像表示装置１ｂの支持スタンド１９ｂは、複写スタンド２０ｂと相互に枢動可能に接続され、収納時、複写スタンド２０ｂを収納溝１９３ｂと同一の平面にし、同時に支持スタンド１９ｂおよび複写スタンド２０ｂをデジタル画像表示装置１０ｂの背面１０２ｂに設けられた凹溝１０２１ｂ内に嵌合して収納でき、収納体積を縮小させることができる。
【００２９】
以上の実施例は本考案の応用可能な範囲を制限するものではなく、本考案の実用新案登録請求の範囲に基づく同等効果の変更は全て本考案に含まれる。
【図面の簡単な説明】
【００３０】
【図１】本考案の写真撮影機能を有するデジタル画像表示装置のシステムアーキテクチャを示すブロック図である。
【図２】本考案の写真撮影機能を有するデジタル画像表示装置の第１の実施例を示す斜視図である。
【図３】本考案の写真撮影機能を有するデジタル画像表示装置の第１の実施例を示す側面図である。
【図４】本考案の写真撮影機能を有するデジタル画像表示装置の第１の実施例の支持スタンドを収納した状態を示す斜視図である。
【図５】本考案の写真撮影機能を有するデジタル画像表示装置の第２の実施例を示す斜視図である。
【図６】本考案の写真撮影機能を有するデジタル画像表示装置の第２の実施例を示す側面図である。
【図７】本考案の写真撮影機能を有するデジタル画像表示装置の第３の実施例を示す斜視図である。
【図８】本考案の写真撮影機能を有するデジタル画像表示装置の第３の実施例を示す他の角度からの斜視図である。
【図９】本考案の写真撮影機能を有するデジタル画像表示装置の第３の実施例の支持スタンドを収納した状態を示す斜視図である。
【符号の説明】
【００３１】
１、１ａ、１ｂ  写真撮影機能を有するデジタル画像表示装置
１０、１０ａ、１０ｂ  デジタル画像表示装置
１０１、１０１ａ、１０１ｂ  表示面
１０２、１０２ａ、１０２ｂ  背面
１０２１ｂ  凹溝
１１  表示モジュール
１２、１２ａ、１２ｂ  枠体
１２１ａ  凹部
１２２ｂ  カメラ台
１３、１３ａ、１３ｂ  カメラモジュール
１４  メモリモジュール
１４１  メモリ
１４２  メモリカード読取装置
１５  制御モジュール
１６  入力モジュール
１６１  無線受信モジュール
１６２  リモコン
１６３  ボタン
１７  電源モジュール
１８  センサモジュール
１９、１９ａ、１９ｂ  支持スタンド
１９１  枢接端
１９２、１９２ａ、１９２ｂ  折曲部
１９３、１９３ａ、１９３ｂ  収容溝
２０、２０ａ、２０ｂ  複写スタンド
２１、２１ａ  連結部
２１１、２１１ａ  第１の折曲端
２１２、２１２ａ  第２の折曲端
２１３、２１３ａ  溝部
２１４、２１４ａ  延伸部
２２、２２ａ、２２ｂ  搭載部
２２１、２２１ａ、２２１ｂ  折曲端
２２２、２２２ａ  アーム
【図１】
0003139920.tif 000003
【図２】
0003139920.tif 000004
【図３】
0003139920.tif 000005
【図４】
0003139920.tif 000006
【図５】
0003139920.tif 000007
【図６】
0003139920.tif 000008
【図７】
0003139920.tif 000009
【図８】
0003139920.tif 000010
【図９】
0003139920.tif 000011